(57)【要約】【課題】  １つの予備ポートを有する光スイッチを採用する場合でも、通信方式が異なる複数種類の光通信ユニットのプロテクションを実行できるようにする。【解決手段】  本発明の一態様に係る局側装置は、複数の現用ポートと１つの予備ポートを有する光スイッチと、前記現用ポートに光学的に接続された光通信ユニットであって、通信方式が異なる複数種類の現用ユニットと、前記予備ポートに光学的に接続された光通信ユニットであって、複数種類の前記通信方式に対応可能な予備ユニットと、切り替え元の前記現用ポートに前記予備ポートを接続する第１制御と、切り替え元の前記現用ユニットの通信方式にて前記予備ユニットを動作させる第２制御と、を含むプロテクションを実行する制御部と、を備える。【選択図】      図１
2018182414.tif 000002
【特許請求の範囲】
【請求項１】
複数の現用ポートと１つの予備ポートを有する光スイッチと、
前記現用ポートに光学的に接続された光通信ユニットであって、通信方式が異なる複数種類の現用ユニットと、
前記予備ポートに光学的に接続された光通信ユニットであって、複数種類の前記通信方式に対応可能な予備ユニットと、
切り替え元の前記現用ポートに前記予備ポートを接続する第１制御と、切り替え元の前記現用ユニットの通信方式にて前記予備ユニットを動作させる第２制御と、を含むプロテクションを実行する制御部と、を備える局側装置。
【請求項２】
前記複数の現用ユニットと前記予備ユニットとが電気的に接続された、上位網に通じる集線部を更に備え、
前記プロテクションには、前記予備ユニットの稼働に伴う通信経路の再設定を前記集線部に指示する第３制御が含まれる請求項１に記載の局側装置。
【請求項３】
前記制御部は、前記現用ユニットにおける障害発生を契機として、前記プロテクションを実行する請求項１又は請求項２に記載の局側装置。
【請求項４】
前記制御部は、自装置と通信する外部装置からの実行指令の受信を契機として、前記プロテクションを実行する請求項１から請求項３のいずれか１項に記載の局側装置。
【請求項５】
前記予備ユニットは、前記現用ポートにも接続可能であり、
前記制御部は、前記複数種類の通信方式のうちの所定の通信方式にて、前記現用ポートに接続された前記予備ユニットを動作させる請求項１から請求項４のいずれか１項に記載の局側装置。
【請求項６】
複数の現用ポートと１つの予備ポートを有する光スイッチと、
前記現用ポートに光学的に接続された光通信ユニットであって、通信方式が異なる複数種類の現用ユニットと、
前記予備ポートに光学的に接続された光通信ユニットであって、複数種類の前記通信方式に対応可能な予備ユニットと、を備える局側装置のプロテクション方法であって
切り替え元の前記現用ポートに前記予備ポートを接続するステップと、
切り替え元の前記現用ユニットの通信方式にて前記予備ユニットを動作させるステップと、を含む局側装置のプロテクション方法。
【請求項７】
光回線を介して対向装置と通信する光通信ユニットであって、
前記光回線に伝送される光信号の送受信と、その光信号と電気信号との相互変換を行う光送受信部と、
前記光送受信部からの電気信号の受信、前記光送受信部への電気信号の送信、及び、前記電気信号に対して前記対向装置と通信するための情報処理を実行する通信回路と、を備えており、
前記通信回路は、異なる種類の通信方式に基づく複数種類の前記情報処理を実行可能となるように構成されている光通信ユニット。
【請求項８】
前記光送受信部には、１種類の前記通信方式に対応する複数種類の光トランシーバが含まれ、
前記複数の光トランシーバは、前記光回線に通じる光ファイバに、光分岐デバイスを介して接続される請求項７に記載の光通信ユニット。
【請求項９】
前記光送受信部には、複数種類の前記通信方式に対応する１つの光トランシーバが含まれ、
前記光トランシーバの光強度及び受光感度の少なくとも１つを前記通信方式の種類ごとに調整する調整部を、更に備える請求項７に記載の光通信ユニット。
【請求項１０】
前記通信回路には、ＦＰＧＡが含まれ、
前記ＦＰＧＡは、
異なる種類の前記通信方式にそれぞれ対応する前記情報処理を実行する複数の論理回路エリアを含む論理回路フィールドと、
前記論理回路エリアを選択するためのセレクタと、を有する請求項７から請求項９のいずれか１項に記載の光通信ユニット。
【請求項１１】
前記通信回路には、ＦＰＧＡが含まれ、
前記ＦＰＧＡは、
論理ブロックの接続構造を変更可能な論理回路フィールドであるＰＲフィールドと、
前記接続構造の設定情報を記憶する記憶部と、
記憶された前記設定情報の中から指定される１つの設定情報に基づいて、所定の前記通信方式に基づく前記情報処理を実行するように、前記ＰＲフィールドの前記接続構造を変更するリコンフィグ部と、を有する請求項７から請求項９のいずれか１項に記載の光通信ユニット。
【請求項１２】
前記ＰＲフィールドは、
選択前の初期状態において、特定の前記通信方式に基づく前記情報処理を実行する前記接続構造に設定されている請求項１１に記載の光通信ユニット。
【請求項１３】
筐体の内部に収容された１又は複数のカードスロットと、
前記カードスロットに装着可能な光通信ユニットであって、複数種類の通信方式に対応可能な汎用ユニットと、
前記複数種類の通信方式のうち所定の通信方式にて前記汎用ユニットを動作させる制御を実行する制御部と、を備える局側装置。
【請求項１４】
筐体の内部に収容された１又は複数のカードスロットと、
前記カードスロットに装着可能な光通信ユニットであって、複数種類の通信方式に対応可能な汎用ユニットと、を備える局側装置の制御方法であって、
前記複数種類の通信方式のうち所定の通信方式にて前記汎用ユニットを動作させるステップを含む局側装置の制御方法。
【発明の詳細な説明】
【技術分野】
【０００１】
本発明は、局側装置、光通信ユニット、局側装置のプロテクション方法、及び局側装置の制御方法に関する。
【背景技術】
【０００２】
ＰＯＮ（Passive Optical Network）は、局側の光回線終端装置（ＯＳＵ）と複数の宅側の光回線終端装置（ＯＮＵ）を、光スプリッタなどの受動光分岐ノードで分岐させたＰＯＮ回線により接続した通信系である。
ＰＯＮでは、ＯＳＵと複数台のＯＮＵがＰＯＮ回線を共有するので、光ファイバの断線やＯＳＵの故障で通信サービスが止まると、影響が多数の加入者に及ぶ。従って、通信サービスの安定のためには、ＯＳＵやＰＯＮ回線を冗長化することが重要である。
【０００３】
通信機器の構成要素の一部又は全部を冗長化すること、或いは冗長化された構成要素を切り替えることを「プロテクション」という。これには種々の方式がある。
例えば、特許文献１〜３には、ＯＳＵを余分に有する冗長構成であるＰＯＮのＯＬＴ（Optical Line Terminal）が記載されている。このＯＬＴは、冗長ＯＳＵへの切り替え期間中に、光スイッチの切り替えタイミングと各ＯＮＵの送信タイミングを適切に制御することにより、プロテクションに伴う通信の瞬断を防止する。
【先行技術文献】
【特許文献】
【０００４】
【特許文献１】特開２００７−１４７８０１号公報
【特許文献２】特開２０１４−０６８２１３号公報
【特許文献３】特開２０１６−０２５５７５号公報
【発明の概要】
【発明が解決しようとする課題】
【０００５】
上述の局側装置において、ＰＯＮ通信を行うＯＳＵの他に、ＰＯＮ以外の通信方式を採用する光通信ユニット（例えば、後述のデジタルＲｏＦのＢＢＵなど）を、筐体の内部に並存させる装置構成を採用する場合がある。
この場合、Ｎ＋１回線切り替え型の光スイッチを採用すると、Ｎ＋１番目の予備ポートにはＯＳＵ又はＢＢＵのうちの１種類の光通信ユニットしか接続できないので、現用のＯＳＵ及びＢＢＵのうちの１種類しか動作保証できない。
【０００６】
この問題の解決策として、予備ポートを複数有する光スイッチを採用し、それらの予備ポートに、冗長ＯＳＵ及び冗長ＢＢＵをそれぞれ接続することが考えられる。
しかし、予備ポートを複数有する光スイッチは、汎用品でなく高価であるから、局側装置の製作コストが高騰するという欠点がある。また、冗長ＯＳＵ及び冗長ＢＢＵを設ける方策では、物理的なスペースが２つ必要となるので、冗長系の光通信ユニットが１つの場合に比べて局側装置の大型化を招くという欠点もある。
【０００７】
本発明は、かかる従来の問題点に鑑み、１つの予備ポートを有する光スイッチを採用する場合でも、通信方式が異なる複数種類の光通信ユニットのプロテクションを実行できるようにすることを目的とする。
【課題を解決するための手段】
【０００８】
（１）  本発明の一態様に係る装置は、複数の現用ポートと１つの予備ポートを有する光スイッチと、前記現用ポートに光学的に接続された光通信ユニットであって、通信方式が異なる複数種類の現用ユニットと、前記予備ポートに光学的に接続された光通信ユニットであって、複数種類の前記通信方式に対応可能な予備ユニットと、切り替え元の前記現用ポートに前記予備ポートを接続する第１制御と、切り替え元の前記現用ユニットの通信方式にて前記予備ユニットを動作させる第２制御と、を含むプロテクションを実行する制御部と、を備える。
【０００９】
（６）  本発明の一態様に係る方法は、複数の現用ポートと１つの予備ポートを有する光スイッチと、前記現用ポートに光学的に接続された光通信ユニットであって、通信方式が異なる複数種類の現用ユニットと、前記予備ポートに光学的に接続された光通信ユニットであって、複数種類の前記通信方式に対応可能な予備ユニットと、を備える局側装置のプロテクション方法であって切り替え元の前記現用ポートに前記予備ポートを接続するステップと、切り替え元の前記現用ユニットの通信方式にて前記予備ユニットを動作させるステップと、を含む。
【００１０】
（７）  本発明の別の態様に係る装置は、光回線を介して対向装置と通信する光通信ユニットであって、前記光回線に伝送される光信号の送受信と、その光信号と電気信号との相互変換を行う光送受信部と、前記光送受信部からの電気信号の受信、前記光送受信部への電気信号の送信、及び、前記電気信号に対して前記対向装置と通信するための情報処理を実行する通信回路と、を備えており、前記通信回路は、異なる種類の通信方式に基づく複数種類の前記情報処理を実行可能となるように構成されている。
【００１１】
（１３）  本発明の別の態様に係る装置は、筐体の内部に収容された１又は複数のカードスロットと、前記カードスロットに装着可能な光通信ユニットであって、複数種類の通信方式に対応可能な汎用ユニットと、前記複数種類の通信方式のうち所定の通信方式にて前記汎用ユニットを動作させる制御を実行する制御部と、を備える。
【００１２】
（１４）  本発明の別の態様に係る方法は、筐体の内部に収容された１又は複数のカードスロットと、前記カードスロットに装着可能な光通信ユニットであって、複数種類の通信方式に対応可能な汎用ユニットと、を備える局側装置の制御方法であって、前記複数種類の通信方式のうち所定の通信方式にて前記汎用ユニットを動作させるステップを含む。
【００１３】
本発明は、上記のような特徴的な構成を備えるシステム及び装置として実現できるだけでなく、かかる特徴的な構成をコンピュータに実行させるためのプログラムとして実現することができる。
また、本発明は、システム及び装置の一部又は全部を実現する半導体集積回路として実現することができる。
【発明の効果】
【００１４】
本発明によれば、１つの予備ポートを有する光スイッチを採用する場合でも、通信方式が異なる複数種類の光通信ユニットのプロテクションを実行することができる。
【図面の簡単な説明】
【００１５】
【図１】光通信システム及び局側装置の構成例を示すブロック図である。
【図２】光スイッチの構成例を示すブロック図である。
【図３】ＰＯＮユニットの構成例を示すブロック図である。
【図４】ＭＣユニットの構成例を示すブロック図である。
【図５】予備ユニットの構成例を示すブロック図である。
【図６】予備ユニットに含まれるＦＰＧＡのハードウェア構成の一例を示すブロック図である。
【図７】予備ユニットに含まれるＦＰＧＡのハードウェア構成の別例を示すブロック図である。
【図８】管理制御部による切り替え処理の一例を示すフローチャートである。
【図９】管理制御部による切り戻し処理の一例を示すフローチャートである。
【図１０】予備ユニットの変形例を示すブロック図である。
【図１１】局側装置の変形例を示すブロック図である。
【発明を実施するための形態】
【００１６】
＜本発明の実施形態の概要＞
以下、本発明の実施形態の概要を列記して説明する。
（１）  本実施形態の局側装置は、複数の現用ポートと１つの予備ポートを有する光スイッチと、前記現用ポートに光学的に接続された光通信ユニットであって、通信方式が異なる複数種類の現用ユニットと、前記予備ポートに光学的に接続された光通信ユニットであって、複数種類の前記通信方式に対応可能な予備ユニットと、切り替え元の前記現用ポートに前記予備ポートを接続する第１制御と、切り替え元の前記現用ユニットの通信方式にて前記予備ユニットを動作させる第２制御と、を含むプロテクションを実行する制御部と、を備える。
【００１７】
本実施形態の光通信装置によれば、制御部が、切り替え元の現用ポートに予備ポートを接続する第１制御と、切り替え元の現用ユニットの通信方式にて予備ユニットを動作させる第２制御と、を含むプロテクションを実行するので、１つの予備ポートを有する光スイッチを採用する場合でも、通信方式が異なる複数種類の光通信ユニットのプロテクションを実行することができる。
【００１８】
（２）  本実施形態の局側装置において、前記複数の現用ユニットと前記予備ユニットとが電気的に接続された、上位網に通じる集線部を更に備える場合には、前記プロテクションには、前記予備ユニットの稼働に伴う通信経路の再設定を前記集線部に指示する第３制御が含まれることが好ましい。
【００１９】
本実施形態の光通信装置によれば、制御部によるプロテクションに、上記の第３制御が含まれるので、上位網に通じる集線部を有する局側装置の場合でも、通信方式が異なる複数種類の光通信ユニットのプロテクションを実行することができる。
【００２０】
（３）  本実施形態の局側装置において、前記制御部は、前記現用ユニットにおける障害発生を契機として、前記プロテクションを実行することが好ましい。
この場合、障害が発生した現用ユニットのプロテクションを実行することができる。
【００２１】
（４）  本実施形態の局側装置において、前記制御部は、自装置と通信する外部装置からの実行指令の受信を契機として、前記プロテクションを実行することが好ましい。
この場合、ユーザが外部装置に実行指令を操作入力する所望のタイミングで、プロテクションを実行することができる。
【００２２】
（５）  本実施形態の局側装置において、前記予備ユニットは、前記現用ポートにも接続可能である場合には、前記制御部は、前記複数種類の通信方式のうちの所定の通信方式にて、前記現用ポートに接続された前記予備ユニットを動作させることが好ましい。
このようにすれば、現用ポートに接続した予備ユニットを現用ユニットとしても利用できるので、予備ユニットの用途を拡張することができる。
【００２３】
（６）  本実施形態のプロテクション方法は、上述の（１）〜（５）に記載の局側装置が実行するプロテクション方法に関する。
従って、本実施形態のプロテクション方法は、上述の（１）〜（５）に記載の局側装置と同様の作用効果を奏する。
【００２４】
（７）  本実施形態の光通信ユニットは、光回線を介して対向装置と通信する光通信ユニットであって、前記光回線に伝送される光信号の送受信と、その光信号と電気信号との相互変換を行う光送受信部と、前記光送受信部からの電気信号の受信、前記光送受信部への電気信号の送信、及び、前記電気信号に対して前記対向装置と通信するための情報処理を実行する通信回路と、を備えており、前記通信回路は、異なる種類の通信方式に基づく複数種類の前記情報処理を実行可能となるように構成されている。
【００２５】
本実施形態の光通信ユニットによれば、通信回路が、異なる種類の通信方式に基づく複数種類の情報処理を実行可能となるように構成されているので、通信方式が異なる複数種類の光通信ユニットのプロテクションを実行する、上述の局側装置に有用となる光通信ユニット（具体的には、予備ユニット）が得られる。
【００２６】
（８）  本実施形態の光通信ユニットにおいて、前記光送受信部は、１種類の前記通信方式に対応する複数種類の光トランシーバが含まれる場合には、前記複数の光トランシーバは、前記光回線に通じる光ファイバに、光分岐デバイスを介して接続されることが好ましい。
この場合、複数の光トランシーバが、光回線に通じる光ファイバに光分岐デバイスを介して接続されるので、光送受信部を複数の光トランシーバで構成しても、光信号の送受信を適切に行うことができる。
【００２７】
（９）  本実施形態の光通信ユニットにおいて、前記光送受信部は、複数種類の前記通信方式に対応する１つの光トランシーバが含まれる場合には、前記光トランシーバの光強度及び受光感度の少なくとも１つを前記通信方式の種類ごとに調整する調整部を、更に備えることが好ましい。
この場合、光トランシーバの光強度及び受光感度の少なくとも１つが通信方式の種類ごとに調整されるので、光送受信部を１つの光トランシーバで構成しても、光信号の送受信を適切に行うことができる。
【００２８】
（１０）  本実施形態の光通信ユニットにおいて、前記通信回路に、ＦＰＧＡが含まれる場合には、前記ＦＰＧＡは、異なる種類の前記通信方式にそれぞれ対応する前記情報処理を実行する複数の論理回路エリアを含む論理回路フィールドと、前記論理回路エリアを選択するためのセレクタと、を有することが好ましい。
この場合、ＰＲフィールドをリコンフィグすることにより通信機能を切り替える、後述のＦＰＧＡに比べて、通信機能の切り替えを迅速に行える利点がある。
【００２９】
（１１）  本実施形態の光通信ユニットにおいて、前記通信回路に、ＦＰＧＡが含まれる場合には、前記ＦＰＧＡは、論理ブロックの接続構造を変更可能な論理回路フィールドであるＰＲフィールドと、前記接続構造の設定情報を記憶する記憶部と、記憶された前記設定情報の中から指定される１つの設定情報に基づいて、所定の前記通信方式に基づく前記情報処理を実行するように、前記ＰＲフィールドの前記接続構造を変更するリコンフィグ部と、を有することが好ましい。
【００３０】
この場合、論理回路フィールドに予め構成された論理回路エリアのいずれかを選択して通信機能を切り替える、上述のＦＰＧＡに比べて、ゲート数がより少ない小規模のＦＰＧＡを採用できるという利点がある。
【００３１】
（１２）  本実施形態の光通信ユニットにおいて、前記ＰＲフィールドは、選択前の初期状態において、特定の前記通信方式に基づく前記情報処理を実行する前記接続構造に設定されていることが好ましい。
この場合、リコンフィグ部がリコンフィグを行わなくても、特定の通信方式（例えば、優先度が高い方に指定された通信方式）の通信機能を即座に実行可能となる。
【００３２】
（１３）  本実施形態の局側装置は、筐体の内部に収容された１又は複数のカードスロットと、前記カードスロットに装着可能な光通信ユニットであって、複数種類の通信方式に対応可能な汎用ユニットと、前記複数種類の通信方式のうち所定の通信方式にて前記汎用ユニットを動作させる制御を実行する制御部と、を備える。
【００３３】
本実施形態の局側装置によれば、制御部が、複数種類の通信方式のうち所定の通信方式にて汎用ユニットを動作させる制御を実行するので、例えば、所定の通信方式のみを行う専用ユニットが在庫切れで利用できない場合でも、所定の通信方式に基づく通信を汎用ユニットに代替させることにより、局側装置による通信サービスを維持することができる。
【００３４】
（１４）  本実施形態の制御方法は、上述の（１３）に記載の局側装置が実行する制御方法に関する。
従って、  本実施形態の制御方法は、上述の（１３）に記載の局側装置と同様の作用効果を奏する。
【００３５】
＜本発明の実施形態の詳細＞
以下、図面を参照して、本発明の実施形態の詳細を説明する。なお、以下に記載する実施形態の少なくとも一部を任意に組み合わせてもよい。
本実施形態では、ＰＯＮの上位側の光回線終端装置を「ＯＳＵ」といい、ＰＯＮの下位側の光回線終端装置を「ＯＮＵ」という。
【００３６】
ＰＯＮにおける通信方式としてはＥＰＯＮがあり、ＩＥＥＥ８０２．３ａｈで定義されたＭＰＣＰ（Multi-Point Control Protocol）フレームによりＯＮＵの登録、離脱、ＯＮＵへの帯域割当及びＯＮＵからの帯域要求などが行なわれる。
また、通信事業者の局舎などに設置される上位側の光回線終端装置（図１中の「ＯＳＵ」及び「ＢＢＵ」）の集合体を「局側装置」といい、加入者宅などに設置される下位側の光回線終端装置（図１中の「ＯＮＵ」及び「ＲＲＨ」）を「対向装置」という。
【００３７】
〔光通信システムの構成〕
図１は、光通信システム及び局側装置１の構成例を示すブロック図である。
図１に示すように、本実施形態の光通信システムは、局側装置１と、複数の対向装置２と、局側装置１と複数の対向装置２を１対多で接続する複数本の光回線３とを含む。
複数本（図１の例ではＮ本）の光回線３の上位側及び下位側の各端部は、局側装置１及び対向装置２においてそれぞれ終端する。
【００３８】
光回線３には、異なる通信規格に対応する複数種類の光回線３Ａ，３Ｂが含まれる。光回線３Ａは、例えばＰＯＮ回線よりなる。光回線３Ｂは、例えばデジタルＲｏＦ（Radio over Fiber）方式など、ＰＯＮ以外の通信規格に基づく光回線よりなる。
図１の例では、ＢＢＵ（Base Band Unit）とＲＲＨ（Remote Radio Head）を接続するデジタルＲｏＦ方式の光回線３Ｂとして、ＣＰＲＩ（Common Public Radio Interface）回線が採用されている。
【００３９】
光回線３Ｂは、ＯＢＳＡＩ（Open Base Station Architecture）など、ＣＰＲＩ以外の通信規格に則ったデジタルＲｏＦ方式の光回線であってもよい。光回線３Ｂは、デジタルＲｏＦ方式以外の通信規格の光回線であってもよい。
ＰＯＮ回線３Ａは、光カプラ４よりなる受動光分岐ノードによって光ファイバ５を分岐させたツリー構造の光ファイバ網である。ＣＰＲＩ回線３Ｂは、１本の光ファイバ５により構成されている。
【００４０】
ＰＯＮ回線３Ａの幹線（光カプラ４の上位側の光ファイバ５）の上位側端部に局側装置１が接続され、ＰＯＮ回線３の支線（光カプラ４の下位側の光ファイバ５）の下位側端部にＯＮＵ２Ａが接続されている。ＯＮＵ２Ａは、対向装置２の一種である。
ＣＰＲＩ回線３Ｂの上位側端部に局側装置１が接続され、ＣＰＲＩ回線３Ｂの下位側端部にＲＲＨ２Ｂが接続されている。ＲＲＨ２Ｂは、対向装置２の一種である。
【００４１】
局側装置１の上位側は、コア網等よりなる上位網に接続されている。ＯＮＵ２Ａの下位側は、ＬＡＮ（Local Area Network）等よりなる下位網に接続されている。
ＲＲＨ２Ｂは、自装置の通信セルに含まれる１又は複数の移動端末（図示せず）との無線通信が可能である。
【００４２】
〔局側装置の構成〕
本実施形態の局側装置１は、Ｎ本の光回線３に対して余分な数（図１ではＮ＋１個）の光通信ユニット１３，１４が筐体の内部に収容された、冗長構成の光通信装置よりなる。
【００４３】
局側装置１の筐体には、複数のカードスロット（図示せず）が内部に並設されたマルチスロットＯＬＴの筐体が使用されている。各光通信ユニット１３，１４は、基板形状がほぼ同等であり、どのカードスロットに対しても挿脱自在に装着することができる。
本実施形態の局側装置１は、上位側から順に、集線部１１、管理制御部１２、複数の現用（運用系）の光通信ユニット１３、１つの予備（待機系）の光通信ユニット１４、及び光スイッチ１５を備える。
【００４４】
図示の例では、Ｎ個の現用の光通信ユニット１３に１つの予備の光通信ユニット１４を付加した、Ｎ：１の冗長構成となっている。すなわち、１〜Ｎ番目の光通信ユニット１３が現用系であり、Ｎ＋１番目の光通信ユニット１４が予備系である。
もっとも、予備の光通信ユニット１４のポート番号ｉ（ｉ＝１〜Ｎ＋１）は、Ｎ＋１番目に限らず、予備の光通信ユニット１４を１〜Ｎのいずれかのポート番号ｉに設定することにしてもよい。
【００４５】
現用の光通信ユニット（以下、「現用ユニット」ともいう。）１３には、複数種類の光通信ユニット１３Ａ，１３Ｂが含まれる。
現用ユニット１３Ａは、例えば、ＰＯＮのＯＳＵとして動作する「ＰＯＮユニット」である。現用ユニット１３Ｂは、例えば、ＣＰＲＩのＢＢＵとして動作する「ＭＣ（メディアコンバータ）ユニット」である。ＰＯＮユニット１３Ａ及びＭＣユニット１３Ｂは、いずれも少なくとも１つあればよい。
【００４６】
予備系の光通信ユニット（以下、「予備ユニット」ともいう。）１４は、すべての種類の現用ユニット１３Ａ，１３Ｂのプロテクションに対応するため、当該現用ユニット１３Ａ，１３Ｂのいずれにでも動作可能な光通信ユニットよりなる。
上記のＰＯＮユニット１３Ａ、ＭＣユニット１３Ｂ及び予備ユニット１４の構成例（図３〜図５）については、後述する。
【００４７】
集線部１１は、例えばＦＰＧＡ（Field-Programmable Gate Array）などの集積回路を含む、Ｌ２（レイヤ２）スイッチよりなる。集線部１１は、受信したレイヤ２の通信フレームの宛先に応じて通信ポート間の通信経路を設定する。
集線部１１は、光通信ユニット１３，１４から入力された上りフレームを多重して上位網に送信するとともに、上位網から受信した下りフレームを適切な光通信ユニット１３，１４に振り分ける処理などを行う。
【００４８】
光スイッチ１５は、Ｎチャンネルのうちの任意のチャンネルに対して、１チャンネルの割り込み切り替えが可能な「Ｎ＋１回線切り替え型」の光スイッチよりなる。
光スイッチ１５は、Ｎ＋１個の上位側ポートと、Ｎ個の下位側ポートとを備える。１〜Ｎ番目の上位側ポートに現用ユニット１３が接続され、Ｎ＋１番目の上位側ポートに予備ユニット１４が接続されている。また、１〜Ｎ番目の上位側ポートに対応する１〜Ｎ番目の下位側ポートに、それぞれ光回線３Ａ，３Ｂが接続されている。
【００４９】
以下、現用ユニット１３が接続された１〜Ｎ番目の上位側ポートに対応する、１〜Ｎ番目の下位側ポートを、「現用ポート」という。また、予備ユニット１４が接続されたＮ＋１番目の上位側ポートを、「予備ポート」という。
【００５０】
光スイッチ１５は、管理制御部１２からのプロテクションの実行指令に基づいて、冗長系の予備ユニット１４が現用ユニット１３の光回線３Ａ，３Ｂと繋がるように、内部の光伝送経路を切り替えることができる。
ここで、上位側ポートのポート番号を「ｉ」（＝１〜Ｎ＋１）とし、下位側ポートのポート番号を「ｊ」（＝１〜Ｎ）とすると、光スイッチ１５は、通常の運用中においては、予備ポート（ｉ＝Ｎ＋１）を現用ポート（ｊ＝１〜Ｎ）と接続していない。
【００５１】
例えば、ｉ＝１の現用ユニット１３に代えて、冗長系の予備ユニット１４を動作させる実行指令を受けると、光スイッチ１５は、冗長系の予備ポート（ｉ＝Ｎ＋１）を、ポート番号ｊ＝１の現用ポートに接続する。
同様に、ｉ＝２〜Ｎのいずれかの現用ユニット１３に代えて、冗長系の予備ユニット１４を動作させる実行指令を受けると、光スイッチ１５は、予備ポート（ｉ＝Ｎ＋１）を、ポート番号ｊ＝２〜Ｎのいずれかの現用ポートに接続する。
【００５２】
管理制御部１２は、ＣＰＵ（Central Processing Unit）を含む情報処理装置である。管理制御部１２のＣＰＵの数は１つ又は複数のいずれでもよく、ＦＰＧＡやＡＳＩＣ（Application Specific Integrated Circuit）などの集積回路を含んでもよい。
管理制御部１２は、ＲＡＭ（Random Access Memory）を含む。ＲＡＭは、ＳＲＡＭ（Static ＲＡＭ）又はＤＲＡＭ（Dynamic ＲＡＭ）などのメモリ素子で構成され、ＣＰＵなどが実行するコンピュータプログラム及びその実行に必要なデータを一時的に記憶する。
【００５３】
管理制御部１２は、局側装置１を統括的に制御する情報処理装置である。管理制御部１２は、内部バスを介して、集線部１１、各光通信ユニット１３，１４及び光スイッチ１５と通信可能に接続されている。
管理制御部１２は、各光通信ユニット１３，１４と個別に情報交換を行うことができる。各光通信ユニット１３，１４は、他の光通信ユニット１３，１４と直接的に、或いは、管理制御部１２を介して間接的に情報交換を行うことができる。
【００５４】
管理制御部１２は、プロテクションを実行する場合、すなわち、運用中の現用ユニット１３から待機中の予備ユニット１４へ切り替える場合には、プロテクションの「実行指令」を含む制御信号を、集線部１１、切り替え元の現用ユニット１３、切り替え先の予備ユニット１４、及び光スイッチ１５にそれぞれ送信する。
【００５５】
この場合、切り替え先の予備ユニット１４は、内部の各回路をウェイクアップさせて、切り替え元の現用ユニット１３と同様の通信処理をスタンバイする。集線部１１は、予備ユニット１４の稼働に伴う通信経路の再設定を行う。
光スイッチ１５は、管理制御部１２の実行指令により指定された、切り替え元のポート番号ｊの現用ポートを、予備ポート（ｉ＝Ｎ＋１）に接続する。切り替え元の現用ユニット１３は、内部の各回路をスリープダウンさせて動作を休止する。
【００５６】
管理制御部１２は、光通信のプロテクションを解除する場合、すなわち、代替的に運用中の予備ユニット１４から元の現用ユニット１３へ切り戻す場合には、プロテクションの「解除指令」を含む制御信号を、集線部１１、切り替え元の現用ユニット１３、切り替え先の予備ユニット１４、及び光スイッチ１５にそれぞれ送信する。
【００５７】
この場合、切り戻し先の現用ユニット１３は、内部の各回路をウェイクアップさせて、切り戻し元の予備ユニット１４が切り戻し前に実行していた通信処理をスタンバイする。集線部１１は、現用ユニット１３の稼働に伴う通信経路の再設定を行う。
光スイッチ１５は、管理制御部１２の解除指令により指定された、切り戻し先のポート番号ｊの現用ポートを、予備ポート（ｉ＝Ｎ＋１）から切断する。切り戻し元の予備ユニット１４は、内部の各回路をスリープダウンさせて動作を休止する。
【００５８】
管理制御部１２は、局側装置１に接続された操作インタフェース（ＩＦ）１６と通信可能に接続されている。操作インタフェース１６は、所定の通信規格に則って管理装置１８と通信する通信デバイスである。
操作インタフェース１６は、公衆通信網又は構内通信網などの管理ネットワーク１７を介して、管理装置１８と通信可能である。管理装置１８は、例えば、光通信システムの通信事業者が運用するサーバコンピュータ装置よりなる。
【００５９】
管理装置１８と操作インタフェース１６の通信は、上位網を介した通信であってもよいし、管理ネットワーク１７又は上位網を介しない直接通信であってもよい。この直接通信は、有線通信及び無線通信のいずれであってもよい。
管理装置１８は、通信事業者のネットワーク管理者（以下、「ユーザ」ともいう。）による操作情報の入力を受け付け可能である。管理装置１８に入力される操作情報には、上述のプロテクションの実行指令及び解除指令などが含まれる。
【００６０】
〔光スイッチの構成〕
図２は、光スイッチ１５の構成例を示すブロック図である。
図２に示すように、光スイッチ１５は、複数本の上位側の光ファイバ（以下、「上位ファイバ」という。）２１−ｉ（ｉ＝１〜Ｎ＋１）と、それより１本少ない複数本の下位側の光ファイバ（以下、「下位ファイバ」という。）２２−ｊ（ｊ＝１〜Ｎ）と、１つのスイッチ部２３とを備える。
【００６１】
１〜Ｎ番目の上位ファイバ２１−ｉは、それぞれ光カプラ２４を介して１〜Ｎ番目の下位ファイバ２２−ｊに接続されている。各光カプラ２４には、それぞれ、光信号を分岐する光ファイバ（以下、「分岐ファイバ」という。）２５−ｊが接続されている。
Ｎ＋１番目の上位ファイバ２１−Ｎ＋１の端部は、スイッチ部２３の上位側に配置されている。Ｎ本の分岐ファイバ２５−ｊ（ｊ＝１〜Ｎ）の端部は、それぞれスイッチ部２３の下位側に並べて配置されている。
【００６２】
スイッチ部２５は、例えば、アクチュエータ２６により駆動される可動ミラーにより構成されている。アクチュエータ２６は、管理制御部１２からの実行指令に基づいて、可動ミラー２３の方向を移動させる。
プロテクションの実行指令には、上位ファイバ２１−Ｎ＋１と接続する分岐ファイバ２５−ｊのポート番号ｊが含まれる。アクチュエータ２６は、実行指令に含まれるポート番号ｊの分岐ファイバ２５−ｊに向けて可動ミラーを移動させる。
【００６３】
例えば、ポート番号ｉ＝１の現用ユニット１３をプロテクトする実行指令の場合は、アクチュエータ２６は、上位ファイバ２１−Ｎ＋１が、ポート番号ｊ＝１の下位ファイバ２２−１に光学的に接続されるように、可動ミラーを移動させる。
下位ファイバ２２−１に伝送される上り光信号は、上位ファイバ２１−１への光信号と分岐ファイバ２５−１への光信号に分配される。可動ミラー２３は、分岐ファイバ２５−１から送出される光信号を、上位ファイバ２１−Ｎ＋１に入射するように方向付ける。
【００６４】
可動ミラー２３は、ポート番号ｉ＝Ｎ＋１の上位ファイバ２１−Ｎ＋１の端部から送出される下り光信号を、分岐ファイバ２５−１に入射するように方向付ける。
分岐ファイバ２５−１に入射された上り光信号は、光カプラ２４を経由して、ポート番号ｊ＝１の下位ファイバ２２−１に伝送される。
【００６５】
アクチュエータ２６は、プロテクションの解除指令に基づいて、可動ミラー２３の方向を元の待機位置に戻す。
待機位置にある可動ミラー２３の方向は、上位ファイバ２１−Ｎ＋１とすべての分岐ファイバ２５−ｊ（ｊ＝１〜Ｎ）とが光学的に接続されない方向となっている。
【００６６】
〔プロテクションの方式〕
本実施形態に係る局側装置１のプロテクションには、次の２つの方式がある。
第１のプロテクション：現用ユニット１３における障害発生を契機として実行されるプロテクション
第２のプロテクション：局側装置１と通信する外部装置（例えば、管理装置１８）からの実行指令の受信を契機として実行されるプロテクション
【００６７】
第１のプロテクションの契機には、例えば、現用ユニット１３の故障が検出された場合や、現用ユニット１３が上り光信号を一定期間受信しない場合（「Optical LoSイベント」の検出）などが含まれる。
なお、「LoS」は「Loss of Signal」の意味である。以下において、Optical LoSイベントを「ＬｏＳイベント」ともいう。
【００６８】
第１のプロテクションの契機には、対向装置２による障害検出も含まれる。例えば、対向装置２は、下り光信号を一定期間受信しない場合には、ＬｏＳイベントを検出する。
対向装置２は、ＬｏＳイベントを検出すると、このイベントを含むＯＡＭ（Operations, Administration and Maintenance）フレームを現用ユニット１３に送信する。
このイベントを取得した現用ユニット１３は、管理制御部１２にその旨を通知し、管理制御部１２はこれを契機に第１のプロテクションを実施する。
【００６９】
対向装置２による障害検出の場合、対向装置２は、局側装置１によるプロテクションの完了を、予備ユニット１４からの制御フレームの受信によって検出する。
例えば、対向装置２は、自装置がＬｏＳイベントを検知した後に、予備ユニット１４から所定の制御フレーム（例えば、ＭＰＣＰフレーム、拡張ＭＡＣ制御フレーム及び拡張ＯＡＭフレームなど）を受信する。これにより、対向装置２は、局側装置１による冗長切り替え（光通信ユニット１３のプロテクション）が完了したことを察知する。
【００７０】
〔プロテクションを実行する場合の処理内容〕
プロテクションを実行する場合、管理制御部１２は、プロテクションの実行指令を含む制御信号を、集線部１１、切り替え元の現用ユニット１３、切り替え先の予備ユニット１４、及び光スイッチ１５にそれぞれ送信する。
予備ユニット１４が受信する実行指令には、切り替え元の現用ユニット１３の種別情報（本実施形態では、ＰＯＮユニット１３Ａ又はＭＣユニット１３Ｂ）と、切り替え元の現用ユニット１３と通信していた対向装置２の管理情報などが含まれる。
【００７１】
切り替え先の予備ユニット１４は、管理制御部１２から通知された種別情報に対応する通信処理（本実施形態では、ＰＯＮ通信又はＣＰＲＩ通信）を実行可能となるように、自装置の通信回路を調整する。
すなわち、予備ユニット１４は、種別情報が「ＰＯＮユニット１３Ａ」の場合は、対向装置２との通信機能をＰＯＮ通信に設定し、種別情報が「ＭＣユニット１３Ｂ」の場合は、対向装置２との通信機能をＣＰＲＩ通信に設定する。
【００７２】
プロテクションの実行指令を受信した切り替え元の現用ユニット１３は、配下の対向装置２の管理情報を管理制御部１２に送信する。管理制御部１２は、現用ユニット１３から受信した対向装置２の管理情報を、切り替え先の予備ユニット１４に転送する。
もっとも、対向装置２の管理情報は、管理制御部１２を経由せずに、現用ユニット１３が予備ユニット１４に直接送信してもよい。
【００７３】
プロテクションの実行指令を受信した集線部１１は、切り替え元の現用ユニット１３の通信ポートを停止させ、予備ユニット１４の通信ポートが現用ユニット１３の通信ポートに代替するように、通信ポート間の通信経路を再設定する。
プロテクションの実行指令を受信した光スイッチ１５は、切り替え元の現用ユニット１３に対応する光回線３の下位側ポート（ｊ＝１〜Ｎ）を、切り替え先の予備ユニット１４に対応する予備ポート（ｉ＝Ｎ＋１）に接続する。
【００７４】
予備ユニット１４は、管理制御部１２又は現用ユニット１３から受信した対向装置２の管理情報を用いて、対向装置２に対して所定の通信処理を実行する。
すなわち、予備ユニット１４は、光回線３により光スイッチ１５に接続された対向装置２と、切り替え元の現用ユニット１３が切り替え前に実行していた通信処理と同様の通信処理を行う。
【００７５】
切り替え元がＰＯＮユニット（ＯＳＵ）１３Ａである場合、ＰＯＮユニット１３Ａが送信するＯＮＵ２Ａに関する管理情報には、例えば次の情報１〜５が含まれる。
１）ＯＮＵの種別情報
この種別情報は、例えば、ＯＮＵが１ＧＯＮＵ、１０Ｇ非対称ＯＮＵ又は１０Ｇ対称ＯＮＵのいずれかを示す情報である。
２）ＯＮＵのＭＡＣアドレス
【００７６】
３）ＯＮＵのＲＴＴ（Round Trip Time）情報
４）ＱｏＳ（Quality of Service）パラメータ
このパラメータは、当該ＯＮＵに設定する優先度クラス、最低保証帯域及び最大許容帯域を定義するためのパラメータである。
５）上位ネットワークにおけるＶＬＡＮモード
【００７７】
切り替え元がＭＣユニット（ＢＢＵ）１３Ａである場合、ＭＣユニット１３Ｂが送信するＲＲＨ２Ｂに関する管理情報には、例えば次の情報６〜１０が含まれる。
６）ＲＲＨの種別情報
この種別情報は、例えば、ＲＲＨがスモールセル又はピコセルのどの種別の基地局であるかを示す情報である。
７）ＲＲＨのＭＡＣアドレス
【００７８】
８）ＲＲＨのＲＴＴ（Round Trip Time）情報
９）ＱｏＳ（Quality of Service）パラメータ
このパラメータは、当該ＲＲＨに設定する優先度クラス、最低保証帯域及び最大許容帯域を定義するためのパラメータである。
１０）上位ネットワークにおけるＶＬＡＮモード
【００７９】
〔プロテクションを解除する場合の処理内容〕
プロテクションを解除する場合、管理制御部１２は、プロテクションの解除指令を含む制御信号を、集線部１１、切り替え元の現用ユニット１３、切り替え先の予備ユニット１４、及び光スイッチ１５にそれぞれ送信する。
【００８０】
プロテクションの解除指令を受信した切り戻し先の現用ユニット１３は、切り戻し元の予備ユニット１４が切り戻し前に実行していた通信処理（本実施形態では、ＰＯＮ通信又はＣＰＲＩ通信）を実行する。
すなわち、現用ユニット１３が「ＰＯＮユニット１３Ａ」である場合は、ＰＯＮユニット１３ＡはＯＮＵ２ＡとのＰＯＮ通信を実行し、現用ユニット１３が「ＭＣユニット１３Ｂ」である場合は、ＭＣユニット１３ＢはＲＲＨ２ＢとのＣＰＲＩ通信を実行する。
【００８１】
プロテクションの解除指令を受信した切り戻し元の予備ユニット１４は、配下の対向装置２の管理情報を管理制御部１２に送信する。管理制御部１２は、予備ユニット１４から受信した対向装置２の管理情報を、切り戻し先の現用ユニット１３に転送する。
もっとも、対向装置２の管理情報は、管理制御部１２を経由せずに、予備ユニット１４が現用ユニット１３に直接送信してもよい。
【００８２】
プロテクションの解除指令を受信した集線部１１は、切り戻し元の予備ユニット１４の通信ポートを停止させ、現用ユニット１３の通信ポートが予備ユニット１４の通信ポートに代替するように、通信ポート間の通信経路を再設定する。
プロテクションの解除指令を受信した光スイッチ１５は、切り戻し先の現用ユニット１３に対応する光回線３の下位側ポート（ｊ＝１〜Ｎ）を、切り戻し元の予備ユニット１４に対応する予備ポート（ｉ＝Ｎ＋１）から切断する。
【００８３】
現用ユニット１３は、管理制御部１２又は予備ユニット１４から受信した対向装置２の管理情報を用いて、対向装置２に対して所定の通信処理を実行する。
すなわち、現用ユニット１３は、光回線３により光スイッチ１５に接続された対向装置２と、切り戻し元の予備ユニット１４が切り戻し前に実行していた通信処理と同様の通信処理を行う。
【００８４】
〔ＰＯＮユニットの構成〕
図３は、ＰＯＮユニット１３Ａの構成例を示すブロック図である。
図３に示すように、本実施形態のＰＯＮユニット（ＯＳＵ）１３Ａは、上位側インタフェース部３１、ＰＯＮ制御部３２、受信処理部３３、送信処理部３４、ＰＯＮ送受信部３５、及び制御インタフェース部３６を備える。また、ＰＯＮユニット１３Ａは、上りバッファ３７及び下りバッファ３８を備える。
【００８５】
上位側インタフェース部３１は、上り方向及び下り方向の電気信号に対して、レイヤ２の通信処理を実行する集積回路よりなる。
ＰＯＮ制御部３２、受信処理部３３及び送信処理部３４は、上り方向及び下り方向の電気信号に対して、ＰＯＮに関する通信処理を実行する集積回路（例えば、ＰＯＮ−ＭＡＣチップ又はＰＯＮ−ＭＡＣ／ＰＨＹチップ）よりなる。
【００８６】
制御インタフェース部３６は、管理制御部１２とＰＯＮユニット１３Ａ内の各部３１〜３５との間でやり取りされる制御信号を中継する集積回路よりなる。
制御インタフェース部３６は、図３に破線で示す内部バスにより、管理制御部１２及びＰＯＮユニット１３Ａ内の各部３１〜３５と接続されている。
【００８７】
ＰＯＮ送受信部３５は、光信号を送受信する素子を含む光デバイス（例えば、プラガブル光トランシーバ）よりなる。ＰＯＮ送受信部３５は、光スイッチ１５からの１．２７μｍ帯の光信号を電気信号に変換し、変換した電気信号を受信処理部３３に送出する。
ＰＯＮ送受信部３５は、送信処理部３４からの電気信号を１．５７７μｍ帯の光信号に変換し、変換した光信号を光スイッチ１５に送出する。
【００８８】
受信処理部３３は、ＰＯＮ送受信部３５から入力される電気信号からフレームを再構成する。受信処理部３３は、フレーム種別がＭＰＣＰフレーム又はＯＡＭフレームなどの制御フレームであれば、その制御フレームをＰＯＮ制御部３２へ出力する。
受信処理部３３は、フレーム種別がユーザフレームであれば、そのユーザフレームを上りバッファ３７へ出力する。
【００８９】
上位側インタフェース部３１は、上りバッファ３７にフレームがあれば、そのフレームを取り出して上位側の集線部１１に出力する。
上位側インタフェース部３１は、上位側の集線部１１からフレームが入力されると、そのフレームを下りバッファ３８に出力する。
【００９０】
送信処理部３４は、ＰＯＮ制御部３２から入力される制御フレームを、電気信号としてＰＯＮ送受信部３５に出力する。
送信処理部３４は、下りバッファ３８にフレームがあれば、ＰＯＮ制御部３２からの制御フレームの合間にそれを下りバッファ３８から取り出し、電気信号としてＰＯＮ送受信部３５に出力する。
【００９１】
ＰＯＮ制御部３２は、配下のＯＮＵ２Ａを管理するためのＭＰＣＰフレーム及びＯＡＭフレームなどの制御フレームを生成し、生成した制御フレームを、送信処理部３４に入力する。送信処理部３４は、入力された制御フレームをＰＯＮ送受信部３５に出力する。
ＰＯＮ制御部３２は、ＯＮＵ２Ａから送られるＭＰＣＰフレーム及びＯＡＭフレームなどの制御フレームを、ＰＯＮ送受信部３５及び受信処理部３３を介して受信し、受信した制御フレームの内容に対応する処理を行う。
【００９２】
本実施形態では、ＰＯＮユニット１３ＡのＰＯＮ制御部３２は、ＯＮＵ２Ａから受信したＯＡＭフレームに含まれるＯＡＭイベントに応じて、以下の処理を行う。
例えば、ＯＮＵ２Ａから通知されたＯＡＭイベントがＬｏＳイベントである場合には、ＰＯＮ制御部３２は、通知されたＬｏＳイベントを管理制御部１２に転送する。ＯＮＵ２ＡからのＬｏＳイベントの通知は、第１のプロテクションの契機となる。
【００９３】
ＰＯＮユニット１３Ａ内の各部３１〜３５は、故障の検知信号（例えば、ＰＯＮ送受信部３５が検知するＬｏＳイベント）を取得すると、その検知信号を管理制御部１２に送信する。この検知信号は、第１のプロテクションの契機となる。
具体的には、上記の検知信号を受信した管理制御部１２は、当該検知信号の送信元のＰＯＮユニット１３Ａ、予備ユニット１４、集線部１１及び光スイッチ１５に、プロテクションの実行指令を含む制御信号を送信する。
【００９４】
管理制御部１２からプロテクションの実行指令を受信したＰＯＮユニット１３ＡのＰＯＮ制御部３２は、ＰＯＮユニット１３Ａ内の各部３１，３３，３４，３５にスリープ指示を送信する。
管理制御部１２からプロテクションの解除指令を受信したＰＯＮユニット１３ＡのＰＯＮ制御部３２は、ＰＯＮユニット１３Ａ内の各部３１，３３，３４，３５にウェイク指示を送信する。
【００９５】
〔ＭＣユニットの構成〕
図４は、ＭＣユニット１３Ｂの構成例を示すブロック図である。
図４に示すように、本実施形態のＭＣユニット（ＢＢＵ）１３Ｂは、上位側インタフェース部４１、ＭＣ制御部４２、受信処理部４３、送信処理部４４、ＭＣ送受信部４５、及び制御インタフェース部４６を備える。また、ＭＣユニット１３Ｂは、上りバッファ４７及び下りバッファ４８を備える。
【００９６】
上位側インタフェース部４１は、上り方向及び下り方向の電気信号に対して、レイヤ２の通信処理を実行する集積回路よりなる。
ＭＣ制御部４２、受信処理部４３及び送信処理部４４は、上り方向及び下り方向の電気信号に対して、ＣＰＲＩに関する通信処理を実行する集積回路（例えば、ＣＰＲＩ−ＭＡＣチップ又はＣＰＲＩ−ＭＡＣ／ＰＨＹチップ）よりなる。
【００９７】
制御インタフェース部４６は、管理制御部１２とＭＣユニット１３Ｂ内の各部４１〜４５との間でやり取りされる制御信号を中継する集積回路よりなる。
制御インタフェース部４６は、図４に破線で示す内部バスにより、管理制御部１２及びＭＣユニット１３Ｂ内の各部４１〜４５と接続されている。
【００９８】
ＭＣ送受信部４５は、光信号を送受信する素子を含む光デバイス（例えば、プラガブル光トランシーバ）よりなる。ＭＣ送受信部４５は、光スイッチ１５からの所定波長帯の光信号を電気信号に変換し、変換した電気信号を受信処理部４３に送出する。
ＭＣ送受信部４５は、送信処理部４４からの電気信号を所定波長帯の光信号に変換し、変換した光信号を光スイッチ１５に送出する。
【００９９】
受信処理部４３は、ＭＣ送受信部４５から入力される電気信号からフレームを再構成する。受信処理部４３は、フレーム種別がＯＡＭフレームなどの制御フレームであれば、その制御フレームをＭＣ制御部４２へ出力する。
受信処理部４３は、フレーム種別がユーザフレームであれば、そのユーザフレームを上りバッファ４７へ出力する。
【０１００】
上位側インタフェース部４１は、上りバッファ４７にフレームがあれば、そのフレームを取り出して上位側の集線部１１に出力する。
上位側インタフェース部４１は、上位側の集線部１１からフレームが入力されると、そのフレームを下りバッファ４８に出力する。
【０１０１】
送信処理部４４は、ＭＣ制御部４２から入力される制御フレームを、電気信号としてＭＣ送受信部４５に出力する。
送信処理部４４は、下りバッファ４８にフレームがあれば、ＭＣ制御部４２からの制御フレームの合間にそれを下りバッファ４８から取り出し、電気信号としてＭＣ送受信部４５に出力する。
【０１０２】
ＭＣ制御部４２は、配下のＲＲＨ２Ｂを管理するためのＯＡＭフレームなどの制御フレームを生成し、生成した制御フレームを送信処理部４４に入力する。送信処理部４４は、入力された制御フレームをＭＣ制御部４２に出力する。
ＭＣ制御部４２は、ＲＲＨ２Ｂから送られるＯＡＭフレームなどの制御フレームを、ＭＣ送受信部４５及び受信処理部４３を介して受信し、受信した制御フレームの内容に対応する処理を行う。
【０１０３】
本実施形態では、ＭＣユニット１３ＢのＭＣ制御４２は、ＲＲＨ２Ｂから受信したＯＡＭフレームに含まれるＯＡＭイベントに応じて、以下の処理を行う。
例えば、ＲＲＨ２Ｂから通知されたＯＡＭイベントがＬｏＳイベントである場合には、ＭＣ制御部４２は、通知されたＬｏＳイベントを管理制御部１２に転送する。ＲＲＨ２ＢからのＬｏＳイベントの通知は、第１のプロテクションの契機となる。
【０１０４】
ＭＣユニット１３Ｂ内の各部４１〜４５は、故障の検知信号（例えば、ＭＣ送受信部４５が検知するＬｏＳイベント）を取得すると、その検知信号を管理制御部１２に送信する。この検知信号は、第１のプロテクションの契機となる。
具体的には、上記の検知信号を受信した管理制御部１２は、当該検知信号の送信元のＭＣユニット１３Ｂ、予備ユニット１４、集線部１１及び光スイッチ１５に、プロテクションの実行指令を含む制御信号を送信する。
【０１０５】
管理制御部１２からプロテクションの実行指令を受信したＭＣユニット１３ＢのＭＣ制御部４２は、ＭＣユニット１３Ｂ内の各部４１，４３，４４，４５にスリープ指示を送信する。
管理制御部１２からプロテクションの解除指令を受信したＭＣユニット１３ＢのＭＣ制御部４２は、ＭＣユニット１３Ｂ内の各部４１，４３，４４，４５にウェイク指示を送信する。
【０１０６】
〔予備ユニットの構成〕
図５は、予備ユニット１４の構成例を示すブロック図である。
図５に示すように、本実施形態の予備ユニット１４は、上位側インタフェース部５１、汎用制御部５２、受信処理部５３、送信処理部５４、ＰＯＮ送受信部５５Ａ、ＭＣ送受信部５５Ｂ、及び制御インタフェース部５６を備える。また、予備ユニット１４は、上りバッファ５７及び下りバッファ５８を備える。
【０１０７】
上位側インタフェース部５１は、上り方向及び下り方向の電気信号に対して、レイヤ２の通信処理を実行する集積回路よりなる。
汎用制御部５２、受信処理部５３及び送信処理部５４は、ＦＰＧＡ６０，７０（図５の仮想線参照）を含む集積回路よりなり、上り方向及び下り方向の電気信号に対して、ＰＯＮ又はＣＰＲＩの通信処理を選択的に実行する。異なる通信処理を実行可能なＦＰＧＡ６０，７０のハードウェア構成（図６及び図７）については、後述する。
【０１０８】
制御インタフェース部５６は、管理制御部１２と予備ユニット１４内の各部５１〜５５との間でやり取りされる制御信号を中継する集積回路よりなる。
制御インタフェース部５６は、図５に破線で示す内部バスにより、管理制御部１２及び予備ユニット１４内の各部５１〜５５と接続されている。
【０１０９】
ＰＯＮ送受信部５５Ａは、ＰＯＮユニット１３ＡのＰＯＮ送受信部３５と同じ光デバイスよりなる。ＰＯＮ送受信部５５Ａは、光スイッチ１５からの１．２７μｍ帯の光信号を電気信号に変換し、変換した電気信号を受信処理部５３に送出する。
ＰＯＮ送受信部５５Ａは、送信処理部５４からの電気信号を１．５７７μｍ帯の光信号に変換し、変換した光信号を光スイッチ１５に送出する。
【０１１０】
ＭＣ送受信部５５Ｂは、ＭＣユニット１３ＢのＭＣ送受信部４５と同じ光デバイスよりなる。ＭＣ送受信部５５Ｂは、光スイッチ１５からの所定波長帯の光信号を電気信号に変換し、変換した電気信号を受信処理部５３に送出する。
ＭＣ送受信部５５Ｂは、送信処理部５４からの電気信号を所定波長帯の光信号に変換し、変換した光信号を光スイッチ１５に送出する。
【０１１１】
ＰＯＮ送受信部５５Ａに繋がる光ファイバと、ＭＣ送受信部５５Ｂに繋がる光ファイバは、光カプラ５９等よりなる光分岐デバイスにより、光スイッチ１５を介して下位側の光回線３に通じる１本の光ファイバに集約されている。集約された光ファイバは、光スイッチ１５のＮ＋１番目の上位側ポートに接続されている（図１参照）。
【０１１２】
管理制御部１２からプロテクションの実行指令を受信した予備ユニット１４の汎用制御部５２は、予備ユニット１４内の各部５１，５３，５４，５５Ａ，５５Ｂにウェイク指示を送信する。
管理制御部１２からプロテクションの解除指令を受信した予備ユニット１４の汎用制御部５２は、予備ユニット１４内の各部５１，５３，５４，５５Ａ，５５Ｂにスリープ指示を送信する。
【０１１３】
もっとも、管理制御部１２からのプロテクションの実行指令に含まれる種別情報が、「ＰＯＮユニット１３Ａ」である場合には、ＰＯＮ送受信部５５Ａがウェイクアップして動作し、ＭＣ送受信部５５Ｂはスリープダウンして動作を休止してもよい。
同様に、管理制御部１２からのプロテクションの解除指令に含まれる種別情報が、「ＭＣユニット１３Ｂ」である場合には、ＭＣ送受信部５５Ｂがウェイクアップして動作し、ＰＯＮ送受信部５５Ａはスリープダウンして動作を休止してもよい。
【０１１４】
受信処理部５３は、動作中の送受信部５５Ａ，５５Ｂから入力される電気信号からフレームを再構成する。受信処理部５３は、フレーム種別がＭＰＣＰフレーム又はＯＡＭフレームなどの制御フレームであれば、その制御フレームを汎用制御部５２へ出力する。
受信処理部５３は、フレーム種別がユーザフレームであれば、そのユーザフレームを上りバッファ５７へ出力する。
【０１１５】
上位側インタフェース部５１は、上りバッファ５７にフレームがあれば、そのフレームを取り出して上位側の集線部１１に出力する。
上位側インタフェース部５１は、上位側の集線部１１からフレームが入力されると、そのフレームを下りバッファ５８に出力する。
【０１１６】
送信処理部５４は、汎用制御部５２から入力される制御フレームを、電気信号として動作中の送受信部５５Ａ，５５Ｂに出力する。
送信処理部５４は、下りバッファ５８にフレームがあれば、汎用制御部５２からの制御フレームの合間にそれを下りバッファ５８から取り出し、電気信号として動作中の送受信部５５Ａ，５５Ｂに出力する。
【０１１７】
管理制御部１２からのプロテクションの実行指令に含まれる種別情報が、「ＰＯＮユニット１３Ａ」である場合には、汎用制御部５２は、ＰＯＮユニット１３ＡのＰＯＮ制御部３２と同様の通信処理を実行する。
具体的には、汎用制御部５２は、配下のＯＮＵ２Ａを管理するためのＭＰＣＰフレーム及びＯＡＭフレームなどの制御フレームを生成し、生成した制御フレームを、送信処理部５４に入力する。送信処理部５４は、入力された制御フレームをＰＯＮ送受信部５５Ａに出力する。
【０１１８】
汎用制御部５２は、ＯＮＵ２Ａから送られるＭＰＣＰフレーム及びＯＡＭフレームなどの制御フレームを、ＰＯＮ送受信部５５Ａ及び受信処理部５３を介して受信し、受信した制御フレームの内容に対応する処理を行う。
【０１１９】
管理制御部１２からのプロテクションの実行指令に含まれる種別情報が、「ＭＣユニット１３Ｂ」である場合には、汎用制御部５２は、ＭＣユニット１３ＢのＭＣ制御部４２と同様の通信処理を実行する。
具体的には、汎用制御部５２は、配下のＲＲＨ２Ｂを管理するためのＯＡＭフレームなどの制御フレームを生成し、生成した制御フレームを、送信処理部５４に入力する。送信処理部５４は、入力された制御フレームをＭＣ送受信部５５Ｂに出力する。
【０１２０】
汎用制御部５２は、ＲＲＨ２Ｂから送られるＯＡＭフレームなどの制御フレームを、ＭＣ送受信部５５Ｂ及び受信処理部４３を介して受信し、受信した制御フレームの内容に対応する処理を行う。
【０１２１】
予備ユニット１４の汎用制御部５２は、対向装置２（ＯＮＵ２Ａ又はＲＲＨ２Ｂ）から受信したＯＡＭフレームに含まれるＯＡＭイベントに応じて、以下の処理を行う。
例えば、対向装置２から所定期間内に通知されるＯＡＭイベントに、ＬｏＳイベントが含まれない場合には、汎用制御部５２は、切り替え後の対向装置２との光通信が正常である旨を管理制御部１２に通知する。これにより、管理制御部１２は、プロテクションの成功を察知する。
【０１２２】
現用ユニット１３内の各部３１〜３５，４１〜４５は、故障の回復信号（例えば、ＰＯＮ送受信部３５が検知するＬｏＳイベントの解除）を取得すると、その検知信号を管理制御部１２に送信する。この検知信号は、第１のプロテクションの解除の契機となる。
具体的には、上記の検知信号を受信した管理制御部１２は、当該検知信号の送信元の現用ユニット１３、予備ユニット１４に、集線部１１及び光スイッチ１５に、第１のプロテクションの解除指令を含む制御信号を送信する。
【０１２３】
〔ＦＰＧＡのハードウェア構成の一例〕
図６は、予備ユニット１４に含まれるＦＰＧＡ６０のハードウェア構成の一例を示すブロック図である。
図６に示す予備ユニット１４のＦＰＧＡ６０は、上位セレクタ６１、多数の論理ブロックを含む論理回路フィールド６２、及び下位セレクタ６３を備える。
【０１２４】
論理回路フィールド６２には、ＰＯＮ通信の情報処理が可能となるように論理ブロックが接続されたＰＯＮエリア６４と、ＣＰＲＩ通信の情報処理が可能となるように論理ブロックが接続されたＭＣエリア６５が含まれる。
ＰＯＮエリア６４は、ＰＯＮユニット１３ＡのＰＯＮ制御部３２、受信処理部３３及び送信処理部３４の各機能を実行する。ＭＣエリア６５は、ＭＣユニット１３ＢのＭＣ制御部４２、受信処理部４３及び送信処理部４４の各機能を実行する。
【０１２５】
各エリア６４，６５の通信フレームの入出力ポートは、上位セレクタ６１及び下位セレクタ６３にそれぞれ接続されている。上位セレクタ６１の上位側にある通信フレームの入出力ポートは、上位側インタフェース部５１に接続されている。
上位セレクタ６１及び下位セレクタ６３は、制御インタフェース部５６を介して管理制御部１２と内部バスにより接続されており、管理制御部１２と各セレクタ６１，６３は制御信号の送受信が可能である。
【０１２６】
管理制御部１２からの実行指令に含まれる種別情報が「ＰＯＮユニット１３Ａ」である場合には、上位セレクタ６１は、下位側（右側）の入出力ポートをＰＯＮエリア６４に接続する。また、下位セレクタ６３は、上位側（左側）の入出力ポートをＰＯＮエリア６４に接続し、下位側（右側）の入出力ポートをＰＯＮ送受信部５５Ａに接続する。
これにより、ＦＰＧＡ６０は、ＰＯＮユニット１３ＡのＰＯＮ制御部３２、受信処理部３３及び送信処理部３４の各機能を実行する集積回路となる。
【０１２７】
管理制御部１２からの実行指令に含まれる種別情報が「ＭＣユニット１３Ｂ」である場合には、上位セレクタ６１は、下位側（右側）の入出力ポートをＭＣエリア６５に接続する。また、下位セレクタ６３は、上位側（左側）の入出力ポートをＭＣエリア６５に接続し、下位側（右側）の入出力ポートをＭＣ送受信部５５Ｂに接続する。
これにより、ＦＰＧＡ６０は、ＭＣユニット１３ＢのＭＣ制御部４２、受信処理部４３及び送信処理部４４の各機能を実行する集積回路となる。
【０１２８】
図６のＦＰＧＡ６０によれば、論理回路フィールド６２に構成されたＰＯＮエリア６４又はＭＣエリア６５のいずれかを選択することにより、ＦＰＧＡ６０による通信機能をＰＯＮ通信又はＣＰＲＩ通信に切り替える。
このため、ＰＲフィールド７１をリコンフィグすることにより通信機能を切り替える図７のＦＰＧＡ７０に比べて、通信機能の切り替えを迅速に行える利点がある。
【０１２９】
〔ＦＰＧＡのハードウェア構成の別例〕
図７は、予備ユニット１４に含まれるＦＰＧＡ７０のハードウェア構成の別例を示すブロック図である。
図７に示す予備ユニット１４のＦＰＧＡ７０は、多数の論理ブロックを含むリコンフィグが可能なＰＲ（Partial Reconfiguration）フィールド７１、リコンフィグ部７２、及び記憶部７３を備える。
【０１３０】
ＰＲフィールド７１の上位側にある通信フレームの入出力ポートは、上位側インタフェース部５１に接続されている。
ＰＲフィールド７１の下位側にある通信フレームの入出力ポートは、ＰＯＮ送受信部５５Ａ及びＭＣ送受信部５５Ｂに接続されている。
【０１３１】
リコンフィグ部７２は、記憶部７３に格納された設定情報に基づいて、ＰＲフィールド７１に含まれる論理ブロック同士の接続構造を変更可能である。記憶部７３の設定情報には、ＰＲフィールド７１をＰＯＮ通信の情報処理回路にするための設定情報と、ＰＲフィールド７１をＣＰＲＩ通信の情報処理回路にするための設定情報が含まれる。
リコンフィグ部７２は、制御インタフェース部５６を介して管理制御部１２と接続されており、管理制御部１２とリコンフィグ部７２は制御信号の送受信が可能である。
【０１３２】
管理制御部１２からのプロテクションの実行指令に含まれる種別情報が、「ＰＯＮユニット１３Ａ」である場合には、リコンフィグ部７２は、記憶部７３からＰＯＮ用の設定情報を読み出し、読み出した設定情報を用いて、ＰＲフィールド７１の論理ブロックの接続構造を変更し、ＰＲフィールド７１をＰＯＮ通信の通信回路に設定する。
これにより、ＦＰＧＡ７０は、ＰＯＮユニット１３ＡのＰＯＮ制御部３２、受信処理部３３及び送信処理部３４の各機能を実行する集積回路となる。
【０１３３】
管理制御部１２からのプロテクションの実行指令に含まれる種別情報が、「ＭＣユニット１３Ｂ」である場合には、リコンフィグ部７２は、記憶部７３からＣＰＲＩ用の設定情報を読み出し、読み出した設定情報を用いて、ＰＲフィールド７１の論理ブロックの接続構造を変更し、ＰＲフィールド７１をＣＰＲＩ通信の通信回路に設定する。
これにより、ＦＰＧＡ７０は、ＭＣユニット１３ＢのＭＣ制御部４２、受信処理部４３及び送信処理部４４の各機能を実行する集積回路となる。
【０１３４】
図７のＦＰＧＡ７０によれば、ＰＲフィールド７１をリコンフィグすることにより、ＦＰＧＡ７０による通信機能をＰＯＮ通信又はＣＰＲＩ通信に切り替える。
このため、論理回路フィールド６２に予め構成されたＰＯＮエリア６４又はＭＣエリア６５のいずれかを選択して通信機能を切り替える図６のＦＰＧＡ６０に比べて、ゲート数がより少ない小規模のＦＰＧＡ７０を採用できるという利点がある。
【０１３５】
図７のＦＰＧＡ７０において、ＰＦフィールド７１は、初期設定の状態において、優先度が高いとユーザが判断する通信回路（図７の例では、ＣＰＲＩ通信）に予め設定しておくことが好ましい。
この場合、種別情報がＭＣユニット１３Ｂである実行指令の場合に、リコンフィグ部７２がリコンフィグを行わなくても、優先度が高い方の通信機能（ＣＰＲＩ通信）を即座に実行可能となる。もっとも、優先度が高い通信方式は、ＰＯＮ通信であってもよい。
【０１３６】
〔管理制御部による切り替え処理〕
図８は、管理制御部１２による切り替え処理（プロテクションの実行処理）の一例を示すフローチャートである。
図８に示すように、管理制御部１２は、予備ユニット１４への切り替え契機の発生の有無を常に判定している（ステップＳＴ１０）。この切り替え契機には、例えば、管理装置１８からのプロテクションの実行指令の受信、予め設定された切り替え時刻の経過、及び、現用ユニット１３における障害発生などが含まれる。
【０１３７】
上記の判定結果が肯定的である場合は、管理制御部１２は、切り替え先の予備ユニット１４への切り替えが可能であるか否かを判定する（ステップＳＴ１１）。
上記の判定は、例えば、予備ユニット１４からの故障検知の有無により行われる。すなわち、予備ユニット１４からの故障検知がない場合は切り替え可能と判定され、予備ユニット１４からの故障検知がある場合は切り替え不能と判定される。
【０１３８】
ステップＳＴ１１の判定結果が肯定的である場合は、管理制御部１２は、切り替え元の現用ユニット１３の種別情報（ＰＯＮユニット１３Ａ又はＭＣユニット１３Ｂ）と、切り替え元の対向装置２の管理情報を予備ユニット１４に通知する（ステップＳＴ１２）。
次に、管理制御部１２は、予備ユニット１４の稼働に伴う通信経路の再設定を集線部１１に指示するとともに（ステップＳＴ１３）、予備ポート（ｉ＝Ｎ＋１）の接続を光スイッチ１５に指示する（ステップＳＴ１４）。
【０１３９】
最後に、管理制御部１２は、切り替え元の現用ユニット１３に動作の停止を指示することにより（ステップＳＴ１５）、処理を終了する。
ステップＳＴ１１の判定結果が否定的である場合は、管理制御部１２は、ステップＳＴ１２〜ＳＴ１５までの処理を行わずに、処理を終了する。
【０１４０】
〔管理制御部による切り戻し処理〕
図９は、管理制御部１２による切り戻し処理（プロテクションの解除処理）の一例を示すフローチャートである。
図９に示すように、管理制御部１２は、現用ユニット１３への切り戻し契機の発生の有無を常に判定している（ステップＳＴ２０）。この切り戻し契機には、例えば、管理装置１８からのプロテクションの解除指令の受信、及び、いったん検出された現用ユニット１３又は対向装置２の障害の回復検出などが含まれる。
【０１４１】
上記の判定結果が肯定的である場合は、管理制御部１２は、切り戻し先の現用ユニット１３への切り戻しが可能であるか否かを判定する（ステップＳＴ２１）。
上記の判定は、例えば、現用ユニット１３からの故障検知の有無により行われる。すなわち、現用ユニット１３からの故障検知がない場合は切り戻し可能と判定され、現用ユニット１３からの故障検知がある場合は切り戻し不能と判定される。
【０１４２】
ステップＳＴ２１の判定結果が肯定的である場合は、管理制御部１２は、切り戻し先の現用ユニット１３が通信していた対向装置２の管理情報を、当該現用ユニット１３に通知する（ステップＳＴ２２）。
次に、管理制御部１２は、現用ユニット１３の稼働に伴う経路情報の再設定を集線部１１に指示するとともに（ステップＳＴ２３）、予備ポート（ｉ＝Ｎ＋１）の切断を光スイッチ１５に指示する（ステップＳＴ２４）。
【０１４３】
最後に、管理制御部１２は、切り戻しによって待機となる予備ユニット１４に動作の停止を指示することにより（ステップＳＴ２５）、処理を終了する。
ステップＳＴ２１の判定結果が否定的である場合は、管理制御部１２は、ステップＳＴ２２〜ＳＴ２５までの処理を行わずに、処理を終了する。
【０１４４】
〔第１の変形例〕
図１０は、予備ユニット１４の変形例を示すブロック図である。
図１０の予備ユニット１４が図５の予備ユニット１４と異なる点は、光スイッチ１５に接続される送受信部が、１つの光デバイスである共用送受信部５５よりなる点にある。
【０１４５】
すなわち、変形例に係る予備ユニット１４が採用する共用送受信部５５は、ＰＯＮ通信及びＣＰＲＩ通信のいずれにも対応可能な１つの光デバイス（例えば、プラガブル光トランシーバ）よりなる。
このように、１つの光デバイスよりなる共用送受信部５５を採用すれば、光通信の種別ごとに送受信部５５Ａ，５５Ｂを設ける必要がなくなり、光カプラ５９（図５参照）も不要となるので、予備ユニット１４の製作コストを低減することができる。
【０１４６】
一般に、ＰＯＮ回線３Ａは、ＣＰＲＩ回線３Ｂよりも光信号の伝送距離が長い。このため、ＰＯＮに用いる光トランシーバは、通常、光パワー及び伝送速度などの点でＣＰＲＩに用いる光トランシーバよりも高性能である。
従って、共用送受信部５５としてＰＯＮ用の光トランシーバを採用し、ＰＯＮ用の光トランシーバをＣＰＲＩ通信にも使用することが好ましい。
【０１４７】
もっとも、ＰＯＮ用の光トランシーバをＣＰＲＩ通信に用いると、局側装置１から対向装置２（ＲＲＨ２Ｂ）までの伝送距離によっては、下り光信号の光強度が高すぎて対向装置２が故障し易くなる可能性がある。
また、ＲＲＨ２Ｂからの上り光信号の到達光量が少ないため、上り光信号を適切に受信できない可能性もある。
【０１４８】
そこで、図１０に示すように、管理制御部１２からの制御信号に応じて、共用送受信部５５が送信する下り光信号の光強度及び上り光信号の受光感度のうちの少なくとも１つを調整する調整部７５を、予備ユニット１４に設けることが好ましい。
この場合、ＰＯＮ用の光トランシーバよりなる共用送受信部５５がＣＰＲＩ通信を行う場合には、パワーを低めに調整すればよい。また、ＲＲＨ２Ｂからの上り光信号の到達光量がＯＮＵ２Ａよりも小さい場合には、受光感度を高くすればよい。
【０１４９】
〔第２の変形例〕
図１１は、局側装置１の変形例を示すブロック図である。図１１の変形例では、複数の通信方式に対応する光通信ユニット１４の他の用途を例示する。
図１１の局側装置１が図１の局側装置１と異なる点は、局側装置１を冗長化するための光スイッチ１５を備えておらず、複数（図例ではＮ個）の光通信ユニット１３，１４が、それぞれ光スイッチ１５を介さずに光回線３に接続されている点にある。
【０１５０】
局側装置１は、筐体６と、筐体６の内部に収容されたＮ個のカードスロット７（スロット番号＝♯１〜♯Ｎ）を備える。ＰＯＮ通信の「専用ユニット」であるＰＯＮユニット１３Ａと、ＣＰＲＩ通信の「専用ユニット」であるＭＣユニット１３Ｂには、ほぼ同じ形状の回路基板が採用されている。
従って、これらの専用ユニット１３Ａ，１３Ｂは、ユーザが任意に選択するいずれのスロット番号♯１〜♯Ｎのカードスロット７に対しても挿脱可能である。
【０１５１】
汎用ユニット１４は、上述の予備ユニット１４と同じ回路構成（図５）であり、ＰＯＮ通信とＣＰＲＩ通信のいずれにも対応可能である。また、汎用ユニット１４には、専用ユニット１３Ａ，１３Ｂとほぼ同じ形状の回路基板が採用されている。
従って、汎用ユニット１４も、ユーザが任意に選択するいずれのスロット番号♯１〜♯Ｎのカードスロット７に対しても挿脱可能である。
【０１５２】
図１１では、汎用ユニット１４が♯Ｎのカードスロット７に差し込まれ、ＰＯＮ通信を行うＰＯＮユニット１３として動作中である場合を例示している。
図１１の局側装置１を構成するには、管理制御部１２からの制御信号により、♯Ｎのカードスロット７に差し込まれた汎用ユニット１４を、ＰＯＮ通信を行うＰＯＮユニット１３Ａとして動作させればよい。
【０１５３】
図１１の局側装置において、例えば、♯１のＭＣユニット１３Ｂが故障し、かつ、ＭＣユニット１３Ｂの在庫切れだが汎用ユニット１４の在庫がある場合には、♯１のカードスロット７からＭＣユニット１３Ｂを取り出し、代わりに汎用ユニット１４を挿入する。
そして、管理制御部１２からの制御信号により、♯１の汎用ユニット１４をＭＣユニット１３Ｂとして動作させることにより、汎用ユニット１４をＭＣユニット１３Ｂとして一時的又は恒久的に利用すればよい。
【０１５４】
〔その他の変形例〕
今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
例えば、上述の図１に示す局側装置１において、予備ユニット１４を、光スイッチ１５におけるｉ＝１〜Ｎ番目のいずれかの上位側ポートに接続し、現用ユニット１３の代替ユニットとして利用することにしてもよい。
【０１５５】
この場合、管理制御部１２は、予備ユニット１４を、ＰＯＮ通信又はＣＰＲＩ通信のうちのいずれかの通信方式にて動作させる制御信号を送信すればよい。このようにすれば、予備ユニット１４を運用系である現用ユニットとしても利用できるようになるので、予備ユニット１４の用途を拡張できるという利点がある。
【０１５６】
上述の実施形態において、集線部１１を局側装置１から省略してもよい。すなわち、集線部１１は、局側装置１の外部の上位側に設置された、局側装置１とは別体の通信機器に設けることにしてもよい。
【符号の説明】
【０１５７】
１  局側装置
２  対向装置
３  光回線
３Ａ  ＰＯＮ回線
３Ｂ  ＣＰＲＩ回線
４  光カプラ
５  光ファイバ
６  筐体
７  カードスロット
１１  集線部
１２  管理制御部（制御部）
１３  光通信ユニット（現用ユニット、専用ユニット）
１３Ａ  ＰＯＮユニット（ＯＳＵ）
１３Ｂ  ＭＣユニット（ＢＢＵ）
１４  光通信ユニット（予備ユニット、汎用ユニット）
１５  光スイッチ
１６  操作インタフェース
１７  管理ネットワーク
１８  管理装置
２１−ｉ  上位ファイバ
２２−ｊ  下位ファイバ
２３  スイッチ部（可動ミラー）
２４  光カプラ
２５−ｊ  分岐ファイバ
２６  アクチュエータ
３１  上位側インタフェース部
３２  ＰＯＮ制御部
３３  受信処理部
３４  送信処理部
３５  ＰＯＮ送受信部
３６  制御インタフェース部
３７  上りバッファ
３８  下りバッファ
４１  上位側インタフェース部
４２  ＭＣ制御部
４３  受信処理部
４４  送信処理部
４５  ＭＣ送受信部
４６  制御インタフェース部
４７  上りバッファ
４８  下りバッファ
５１  上位側インタフェース部
５２  汎用制御部
５３  受信処理部
５４  送信処理部
５５  共用送受信部
５５Ａ  ＰＯＮ送受信部
５５Ｂ  ＭＣ送受信部
５６  制御インタフェース部
５７  上りバッファ
５８  下りバッファ
５９  光カプラ（光分岐デバイス）
６１  上位セレクタ
６２  論理回路フィールド
６３  下位セレクタ
６４  ＰＯＮエリア
６５  ＭＣエリア
７１  ＰＲフィールド
７２  リコンフィグ部
７３  記憶部
７５  調整部
【図１】
2018182414.tif 000003
【図２】
2018182414.tif 000004
【図３】
2018182414.tif 000005
【図４】
2018182414.tif 000006
【図５】
2018182414.tif 000007
【図６】
2018182414.tif 000008
【図７】
2018182414.tif 000009
【図８】
2018182414.tif 000010
【図９】
2018182414.tif 000011
【図１０】
2018182414.tif 000012
【図１１】
2018182414.tif 000013